(57)【要約】【課題】脳内の血行を促進させるとともに脳に刺激を与えることで、脳を活性化させ、健康の維持、特に高齢者における痴呆症発生の予防・抑制を図る。【解決手段】頭部装着ベルトであって、頭部外周に装着される帯状のベルト本体と、そのベルト本体の前部と後部に止着された頭頂部を通る帯状の上部ベルトとからなり、ベルト本体及び上部ベルトの内壁の所定の箇所に磁石片とアルミニウム片とを隣接させた状態で取付ける構成を採る。【選択図】図１
2005278733.tif 000002
【特許請求の範囲】
【請求項１】
頭部外周に装着される帯状のベルト本体と、そのベルト本体の前部と後部に止着あるいは一体成型された頭頂部を通る帯状の上部ベルトとからなり、ベルト本体及び上部ベルトの内壁の所定の箇所に磁石片とアルミニウム片とを隣接させた状態で取付けたことを特徴とする頭部装着ベルト。
【請求項２】
前記アルミニウム片が、中央部分に突起を設けてなることを特徴とする請求項１に記載の頭部装着ベルト。
【発明の詳細な説明】
【技術分野】
【０００１】
本発明は、頭部に装着されるベルトに関し、詳しくは、脳内の血行を促進するとともに脳に刺激をあたえる頭部装着ベルトに関するものである。
【背景技術】
【０００２】
今日、人々の健康に対する意識は高まってきており、特に高齢化社会を背景に、高齢者における痴呆症の発生が大きく社会問題となっている。かかる痴呆の症状を発生させないために、あるいは、症状の発生を少しでも遅らせるためには、脳内の血行を良くするとともに脳を刺激し、脳の活性化を図ることが必要とされている。
【０００３】
脳内の血行を促進させるべく、従来より種々の発明や考案がなされている。これらはどれも、頭部に着用する帽子やヘアバンドに磁石を取付けたり、あるいは、磁石が取付けられた帯状体を頭部に装着することによって、脳内の血行を促進しようとするものである。しかしながら、かかる従来の技術においては、磁石による脳内の血行促進は図れても、脳に刺激を与えるものではなく、痴呆の発生を抑制するまでには至っていないため、実際にほとんど実用化されていないのが現状である。
【特許文献１】特開平１０−１５０８４号公報
【特許文献２】登録実用新案第３０１９７６９号公報
【発明の開示】
【発明が解決しようとする課題】
【０００４】
上記問題点に鑑み、本発明は、脳内の血行を促進させるとともに脳に刺激を与えることで、脳を活性化させ、健康の維持、特に高齢者における痴呆症発生の予防・抑制を図ることを目的とする。
【課題を解決するための手段】
【０００５】
前記目的を達成するため、本発明は、頭部装着ベルトであって、頭部外周に装着される帯状のベルト本体と、ベルト本体の前部と後部に止着あるいは一体成型された頭頂部を通る帯状の上部ベルトとからなり、ベルト本体及び上部ベルトの内壁の所定の箇所に磁石片とアルミニウム片とを隣接させた状態で取付けた構成となっている。
【０００６】
また、本発明は、前記アルミニウム片が中央部分に突起を設けてなる構成を採用することもできる。
【発明の効果】
【０００７】
本発明による頭部装着ベルトによれば、磁石の作用により脳内の血行を促進することができるとともに、アルミニウムの作用により脳に刺激を与えることもでき、これらの相乗効果によって脳が活性化され、健康維持及び痴呆症発生の予防・抑制が図られるといった効果を奏する。
【０００８】
また、本発明にかかる頭部装着ベルトに取付けられるアルミニウム片の中央部分に突起を設けることにより、さらに脳への刺激を与えることができ、より健康維持及び痴呆症発生の予防・抑制に効果を発揮する。
【発明を実施するための最良の形態】
【０００９】
以下、本発明による頭部装着ベルト１の実施形態を図面に基づいて説明する。
【００１０】
図１は、本発明かかる頭部装着ベルト１を示す斜視図である。該頭部装着ベルト１は、頭部外周Ｈ１に装着される帯状のベルト本体２と、ベルト本体２の前部と後部に止着あるいは一体成型された頭頂部Ｈ２を通る帯状の上部ベルト３とから構成される。ベルト本体２における所定の箇所には、装着される人によって異なる頭部外周Ｈ１の大きさに対応が可能であるように、ベルト本体調節止め具２ａが設けられている。これと同様、上部ベルト３における所定の箇所には、装着される人によって異なる頭上部の大きさに対応が可能であるように、上部ベルト調節止め具３ａが設けられている。
【００１１】
尚、ベルト本体調節止め具２ａ及び上部ベルト調節止め具３の構造は特に限定はなく、ベルトの連結が可能であって、かつ、ベルトの長さの調節が可能であれば足りる。例えば、一般に使用されているリング状の連結具やベルクロファスナー等を使用することが考えられる。
【００１２】
前記ベルト本体２及び上部ベルト３の内壁における所定の箇所には、磁石片４とアルミニウム片５とが隣接された状態で取付けられている。かかる磁石片４を取付けることで、磁石の作用により脳内の血行を促進することができ、また、かかるアルミニウム片５を取付けることで、アルミニウムの作用により脳に刺激を与えることができる。そして、この磁石片４及びアルミニウム片５を隣接させて取付けることにより、それらの相乗効果によって脳の活性化が図られる。
【００１３】
ここで、アルミニウム片５が人体頭部に及ぼす作用・効果について説明する。天然に単体として存在する金属、例えば金・鉄・銅等の元素は、動植物に含まれており、それら金属を身に着けても人体に違和感は生じない。しかし、アルミニウムはボーキサイトを原料として作られたものであって、天然に単体として存在するものではなく、その元素は動植物には含まれていないため、アルミニウムを身に着けると人体はある種の反応を示すことがわかっている。そして、その反応は異質のものに対する防衛反応であって、結果として体の血行や新陳代謝を促進させ、筋肉の凝りや痛みを緩和させる効果がある。
【００１４】
尚、アルミニウム片５の中央部分には突起５ａを設けることもできる。かかる突起５ａを設けることにより、アルミニウム片５による作用・効果に突起５ａによるツボ刺激の効果も加わり、より脳を刺激して脳の活性化を促進させる効果を奏する。
【００１５】
かかる磁石片４及びアルミニウム片５を取付ける数及び位置については特に限定はないが、人体の頭部における脳内血行促進や脳の刺激に効果のある箇所へ有効に磁石片４及びアルミニウム片５の作用が発揮される位置に複数箇所取付けることが望ましい。図面では、このような観点から、人体の頭部Ｈにおける頭頂葉Ｔ１・前頭葉Ｔ２・側頭葉Ｔ３・後頭葉Ｔ４にかかる箇所に磁石片４及びアルミニウム片５が当接するように取り付けられている。
【００１６】
図２は、本発明かかる頭部装着ベルト１を実際に装着した状態を示す使用説明図である。ベルト本体２は、額からこめかみ付近を通って後頭部にかけての頭部外周Ｈ１に装着され、上部ベルト３は、額から頭頂部Ｈ２を通って後頭部にかけて装着される。頭部装着ベルト１が頭部Ｈにきちんとフィットするよう、装着する際にはベルト本体調節止め具２ａ及び上部ベルト調節止め具３ａを適宜調節しながら頭部装着ベルト１の装着が行われる。
【００１７】
図３は、本発明かかる頭部装着ベルト１により人体頭部Ｈにおける刺激すべき箇所を示す説明図である。人体の頭部Ｈは、おおむね四つの部分に大別でき、それは頭頂葉Ｔ１、前頭葉Ｔ２、側頭葉Ｔ３、後頭葉Ｔ４である。かかる四つの箇所における脳内の細胞組織の働きを簡単に説明すると、頭頂葉Ｔ１は本感覚、前頭葉Ｔ２は意志力、側頭葉Ｔ３は記憶力、後頭葉Ｔ４は視力、といったそれぞれの働きを掌っている。かかる四つの箇所における脳内血行を促進し、また、脳を刺激することにより、脳が活性化され、健康維持及び痴呆症発生の予防・抑制に資することとなる。
【図面の簡単な説明】
【００１８】
【図１】本発明かかる頭部装着ベルトを示す斜視図である。
【図２】本発明かかる頭部装着ベルトを実際に装着した状態を示す使用説明図である。
【図３】本発明かかる頭部装着ベルトにより人体頭部における刺激すべき箇所を示す説明図である。
【符号の説明】
【００１９】
１    頭部装着ベルト
２    ベルト本体
２ａ  ベルト本体調節止め具
３    上部ベルト
３ａ  上部ベルト調節止め具
４    磁石片
５    アルミニウム片
Ｈ    頭部
Ｈ１  頭部外周
Ｈ２  頭頂部
Ｔ１  頭頂葉
Ｔ２  前頭葉
Ｔ３  側頭葉
Ｔ４  後頭葉
【図１】
2005278733.tif 000003
【図２】
2005278733.tif 000004
【図３】
2005278733.tif 000005